(57)【要約】【課題】機器とコンセントとの距離が大きいような場合でも、機器を、従来のような延長コードを用いることなく、コンセントに接続することができる埋込み形コンセントの構造を提供する。【解決手段】保持体２に保持させて壁８に埋込み状態にした可動コンセント本体１を、保持体２から取り外し、延長配線７を埋込み内方部分から外に延ばして、該可動コンセント本体１に機器のプラグ１０の差し込んで通電することができるようになされている。【選択図】      図１
2004303629.tif 000002
【特許請求の範囲】
【請求項１】
壁、床、天井等に埋込み状態に設置される埋込み形コンセントの構造であって、
１つ又は複数のプラグ差込み口を有する可動コンセント本体と、該可動コンセント本体を着脱可能に保持する保持体とが備えられ、
該保持体は壁、床、天井等に固定状態に設置されると共に、可動コンセント本体には埋込み内方部分から延ばされた延長配線が接続され、
保持体に保持させて埋込み状態にした可動コンセント本体を、保持体から取り外し、延長配線を埋込み内方部分から外に延ばして、該可動コンセント本体に機器のプラグを差し込んで通電することができるようになされていることを特徴とする埋込み形コンセントの構造。
【請求項２】
前記可動コンセント本体が、複数のプラグ差込み口を備え、プラグ差込み口間の間隔寸法を大小変化させることができるようになされている請求項１に記載の埋込み形コンセント。
【請求項３】
前記可動コンセント本体が、伸縮可能で、複数のプラグ差込み口を備え、該可動コンセント本体を伸長することにより、プラグ差込み口間の間隔寸法を、埋込み状態における間隔寸法よりも大きくすることができるようになされている請求項１に記載の埋込み形コンセント。
【発明の詳細な説明】
【０００１】
【発明の属する技術分野】
本発明は、埋込み形コンセントに関する。
【０００２】
【従来の技術及び課題】
従来より、壁などに埋込み状態に備えられているコンセントでは、機器との間の距離が大きい場合には、延長コードを用いて接続することが行われている。しかしながら、延長コードを使用する接続では、機器不使用時の延長コードの保管に困ることがある。
【０００３】
本発明は、上記のような問題点に鑑み、機器とコンセントとの距離が大きいような場合でも、機器を、従来のような延長コードを用いることなく、コンセントに接続することができる埋込み形コンセントの構造を提供することを課題とする。
【０００４】
【課題を解決するための手段】
上記の課題は、壁、床、天井等に埋込み状態に設置される埋込み形コンセントの構造であって、
１つ又は複数のプラグ差込み口を有する可動コンセント本体と、該可動コンセント本体を着脱可能に保持する保持体とが備えられ、
該保持体は壁、床、天井等に固定状態に設置されると共に、可動コンセント本体には埋込み内方部分から延ばされた延長配線が接続され、
保持体に保持させて埋込み状態にした可動コンセント本体を、保持体から取り外し、延長配線を埋込み内方部分から外に延ばして、該可動コンセント本体に機器のプラグを差し込んで通電することができるようになされていることを特徴とする埋込み形コンセントの構造によって解決される。
【０００５】
この構造では、機器とコンセントとの距離が大きい場合は、可動コンセント本体を保持体から取り外し、延長配線を埋込み内方部分から外に延ばして、可動コンセント本体に機器のプラグを接続することができ、従来のような延長コードを用いなくとも、機器のプラグをコンセントに接続して機器に通電することができる。
【０００６】
しかも、延長配線は、埋込み内方部分に収納されていたものであるから、機器の不使用時には、埋込み内方部分に収納し直せばよく、従って、延長配線の収納に困るということもなく、コンセント回りをスッキリとしたものにすることができる。
【０００７】
可動コンセント本体が、複数のプラグ差込み口を備え、プラグ差込み口間の間隔寸法を大小変化させることができるようになされている場合は、通常サイズのプラグやアダプター等の大サイズプラグなど、各種サイズの複数のプラグを大きすぎずかつ小さすぎない間隔をおいて可動コンセント本体のプラグ差込み口に適正に接続することができる。
【０００８】
特に、可動コンセント本体が、伸縮可能で、複数のプラグ差込み口を備え、該可動コンセント本体を伸長することにより、プラグ差込み口間の間隔寸法を、埋込み状態における間隔寸法よりも大きくすることができるようになされている場合は、可動コンセント本体を保持体から取り外して伸長状態にすることにより、大サイズプラグ同士、あるいは、大サイズプラグと通常サイズプラグとを無理なく無駄なく接続することができ、しかも、そのような接続をしないときには、可動コンセント本体を短縮して保持体に保持させ、壁、床、天井等にコンパクトに備えさせておくことができる。
【０００９】
なお、本発明では、複数のプラグ差込み口を備え、プラグ差込み口間の間隔寸法を大小変化させることができるようになされているコンセント構造については、請求項１に記載の埋込み形コンセント構造を前提として採用しているが、埋込み形であるかどうかを問わず、このようなコンセント構造それ自体で発明として成り立ちうるものである。即ち、このようなコンセント構造を採用することで、大サイズプラグ同士、あるいは、大サイズプラグと通常サイズプラグとを無理なく無駄なく接続することができ、しかも、そのような接続をしないときには、可動コンセント本体を短縮してコンパクトにすることができる。その場合のコンセント構造は、延長コードの端部に備えられるコンセントなどに適用されたものであってもよい。
【００１０】
【発明の実施の形態】
次に、本発明の実施形態を図面に基づいて説明する。
【００１１】
図１に示す第１実施形態の埋込み形コンセントの構造は、壁埋込み形のもので、１は可動コンセント本体、２は保持体である。
【００１２】
可動コンセント本体１には、２つのプラグ差込み口３，３が備えられ、保持体２に爪４で着脱可能に保持されるようになされており、可動コンセント本体１の正面側に備えられた操作つまみ５を上下させることにより、保持体２に対する着脱を行うことができるようになされている。
【００１３】
保持体２は、図１（イ）に示すように、壁８に埋込み固定状態に設置され、上記の可動コンセント本体１を収容する凹所６を正面側に備え、この凹所６内に可動コンセント本体１を収容して保持している。
【００１４】
そして、凹所６の背部には、延長配線７を巻いた配線リール９が設置され、該延長配線７の一端が屋内配線に接続されると共に、延長配線７の他端が可動コンセント本体１に接続されている。本実施形態では、リール９に巻かれているいる延長配線７は、可動コンセント本体１の接続されている側を引っ張ることによってリール９から引き出されていくようになされていると共に、その引張りを解くとバネなどによる巻戻し機構によってリール９に自動で巻き戻されるようになされている。なお、１２は、分電盤に延びる配線である。
【００１５】
上記のコンセント構造では、図１（ロ）に示すように、正面側から見ると、壁８に埋込み状態に備えられた通常のコンセントとほとんど変わらない外観を備えており、通常の壁埋込み形コンセントと同じ使い方をすることができる。
【００１６】
そして、接続しようとする機器とコンセントとの距離が大きい場合には、図２に示すように、可動コンセント本体１を保持体２から取り外し、延長配線７を保持体２の奥方のリール９から引き出して外に延ばして可動コンセント本体１を機器に近づければ、機器のプラグ１０を可動コンセント本体１のプラグ差込み口３に差し込んで接続することができる。このように、上記の埋込み形コンセント構造によれば、機器とコンセントとの距離が大きいような場合であっても、従来のような延長コードを用いなくとも、機器とコンセントとを接続し、機器に通電することができる。
【００１７】
機器を使用しないときは、機器のプラグ１０を可動コンセント本体１から抜き取り、可動コンセント本体１を壁８の保持体２の側に近づけていけば、延長配線は、保持体２の凹所６の奥方のリール９に巻き取られていき、可動コンセント本体１を凹所６内に収容して保持体２に保持させれば、延長配線７は壁８内に隠されて、延長配線７を別途保管しておく必要はなく、コンセント回りはスッキリとしたものとなって、通常の壁コンセントとして使用することができる。
【００１８】
図３に示す第２実施形態の埋込み形コンセント構造は、可動コンセント本体１が、２つのプラグ差込み口３，３を備え、同図（ハ）に示すように、伸縮可能であり、可動コンセント本体１を伸長することにより、プラグ差込み口３，３間の間隔寸法を、保持体２に保持させた埋込み状態における間隔寸法よりも大きくすることができるようになされている。
【００１９】
このコンセント構造では、図４に示すように、アダプター等の大サイズプラグ１１と通常サイズのプラグ１０とを可動コンセント本体１に接続するような場合において、可動コンセント本体１を図３（イ）（ロ）に示すように保持体２に保持させた壁埋込み状態では接続できないときに、図４に示すように、可動コンセント本体１を保持体２から取り外してフリーにし、そして、可動コンセント本体１を伸長させてプラグ差込み口３，３間の間隔寸法を大きくすることによって、大サイズプラグ１１と通常サイズのプラグ１０とを可動コンセント本体１の２つの差込み口３に同時に接続することができる。しかも、そのような接続をしないときは、可動コンセント本体１を短縮させて壁８の保持体２に保持させておけば、通常の壁コンセントと同様のコンパクトなコンセントにすることができ、壁コンセントとして違和感のないものにすることができる。
【００２０】
以上に、本発明の実施形態を示したが、本発明はこれに限られるものではなく、発明思想を逸脱しない範囲で各種の変更が可能である。例えば、上記の実施形態では、可動コンセント本体１を伸縮できるようにすることによって、プラグ差込み口間の間隔寸法をその伸縮によって大小変化させることができるようになされている場合を示しているが、可動コンセント本体を伸縮させることなく、プラグ差込み口間の間隔寸法を大小変化させることができるようになされたものであってもよい。また、上記の実施形態では壁埋込み形のコンセント構造を示しているが、床埋込み形であってもよいし、天井埋込み形であってもよいし、埋込み箇所に制限はない。また、請求項１に記載のコンセント構造では、差込みプラグが１つ備えられたコンセント構造に構成されていてもよい。また、本発明における延長配線やプラグ差込み口は電力供給用のものに限らず、電話回線やＬＡＮなどの通信用の配線やプラグであってもよい。
【００２１】
【発明の効果】
本発明は、以上のとおりのものであるから、機器とコンセントとの距離が大きいような場合でも、機器を、従来のような延長コードを用いることなく、コンセントに接続することができる。
【図面の簡単な説明】
【図１】第１実施形態の埋込み形コンセント構造を示すもので、図（イ）は断面側面図、図（ロ）は正面図である。
【図２】使用方法を示す断面側面図である。
【図３】第２実施形態の埋込み形コンセント構造を示すもので、図（イ）は断面側面図、図（ロ）は正面図、図（ハ）は可動コンセントを伸長させた状態の正面図である。
【図４】使用方法を示す断面側面図である。
【符号の説明】
１…可動コンセント本体
２…保持体
３…プラグ差込み口
６…凹所
７…延長配線
８…壁
１０…通常サイズプラグ
１１…大サイズプラグ
【図１】
2004303629.tif 000003
【図２】
2004303629.tif 000004
【図３】
2004303629.tif 000005
【図４】
2004303629.tif 000006